(57)【要約】【課題】簡単な構成で、確実に揉み玉のガタツキを抑制する。【解決手段】背もたれ部と座部から構成される本体１と、背もたれ部に配設され、背もたれ部に対して上下動可能に構成されるマッサージユニット７とを備え、マッサージユニット７は、揺動可能に配設されたアームと、アーム先端部に一端が固定された軸１４と、軸１４に抜け止め固定される揉み玉１９とを備え、揉み玉１９は、軸１４に挿入される筒状のスリーブ２１と、スリーブ２１の外周を覆う柔軟素材とで構成され、スリーブ２１の少なくとも一部に、軸方向に対する弾性を有する弾性部２３を形成したことを特徴とする椅子型マッサージ機。【選択図】図５
2011136098.tif 000002
【特許請求の範囲】
【請求項１】
背もたれ部と座部から構成される本体と、前記背もたれ部に配設され、前記背もたれ部に対して上下動可能に構成されるマッサージユニットとを備え、
前記マッサージユニットは、揺動可能に配設されたアームと、該アーム先端部に一端が固定された軸と、該軸に抜け止め固定される揉み玉とを備え、
前記揉み玉は、前記軸に挿入される筒状のスリーブと、該スリーブの外周を覆う柔軟素材とで構成され、前記スリーブの少なくとも一部に、軸方向に対する弾性を有する弾性部を形成したことを特徴とする椅子型マッサージ機。
【請求項２】
前記弾性部は、前記スリーブの一部に略螺旋状の切り込みを入れることで形成されることを特徴とする請求項１記載の椅子型マッサージ機。
【請求項３】
前記弾性部は、前記スリーブの一部を軸方向に弾性を有する螺旋形状の部材にて形成することを特徴とする請求項１記載の椅子型マッサージ機。
【請求項４】
前記弾性部が形成される位置を、前記スリーブの端部とすることを特徴とする請求項１から請求項３のいずれかに記載の椅子型マッサージ機。
【発明の詳細な説明】
【技術分野】
【０００１】
本発明は、椅子型マッサージ機に関するものである。
【背景技術】
【０００２】
被施療者の肩、背中及び腰等をマッサージするマッサージユニットを備えた椅子型マッサージ機が知られている。
【０００３】
この種の椅子型マッサージ機として、マッサージユニットには、マッサージを行う揉み玉を先端に備えたアームが配設され、マッサージユニットは、マッサージを行う位置を変更可能とするために、レール部材等を介して上下動自在に構成される。
【０００４】
また、複雑なマッサージ動作、例えば、揉み玉が被施療者に対して上下左右に揺動し、押圧、ローリングマッサージ、掴み揉み等の種々のマッサージ動作が可能となるように構成される（特許文献１）。
【先行技術文献】
【特許文献】
【０００５】
【特許文献１】特開２００５−２３７６６２
【発明の概要】
【発明が解決しようとする課題】
【０００６】
アームに配設される揉み玉は、フランジを有する筒状のスリーブの外周にゴム等の柔軟素材をインサート成型することで形成されており、アームに一端がカシメ固定された軸に、揉み玉のスリーブを回動自在に嵌入させ、揉み玉が軸から抜け落ちないようにワッシャー等の留め具を軸に挿入させて後、軸の他端側をカシメることで、揉み玉が抜け止めされる。
【０００７】
近年のマッサージ機は様々なマッサージ動作が可能となるように構成されるため、様々な方向から揉み玉に外力がかかる。揉み玉は前述の通り、軸にスリーブを挿入した状態で軸の端部をカシメることにより抜け止め固定される構成であるため、軸とスリーブの寸法誤差や、カシメの誤差等により軸方向にガタツキが生じた状態に固定される場合がある。この場合、特に無負荷、低負荷侍にマッサージ動作させると、揉み玉が軸に対して軸方向に移動し、ガタツキ音を生じることがあった。
【０００８】
この問題を解決するために、揉み玉が嵌入される軸にバネワッシャー等の弾性体を挿入し、弾性体の付勢力によって揉み玉を軸方向へ付勢して、軸に対する揉み玉の移動を抑制する構成が採用されているが、製造する際にバネワッシャー等の弾性体の装着漏れなどによる不良が生じる虞があった。
【０００９】
本発明は、簡単な構成で、確実に揉み玉のガタツキを抑制し得る椅子型マッサージ機を提供するものである。
【課題を解決するための手段】
【００１０】
背もたれ部と座部から構成される本体と、前記背もたれ部に配設され、前記背もたれ部に対して上下動可能に構成されるマッサージユニットとを備え、前記マッサージユニットは、揺動可能に配設されたアームと、該アーム先端部に一端が固定された軸と、該軸に抜け止め固定される揉み玉とを備え、前記揉み玉は、前記軸に挿入される筒状のスリーブと、該スリーブの外周を覆う柔軟素材とで構成され、前記スリーブの少なくとも一部に、軸方向に対する弾性を有する弾性部を形成することが好ましい。
【００１１】
前記弾性部は、前記スリーブの一部に略螺旋状の切り込みを入れることで形成されることが好ましい。
【００１２】
または、前記弾性部は、前記スリーブの一部を軸方向に弾性を有する螺旋形状の部材にて形成することが好ましい。
【００１３】
前記弾性部が形成される位置を、前記スリーブの端部とすることが好ましい。
【発明の効果】
【００１４】
請求項１によると、簡単な構成で、確実に揉み玉のガタツキを抑制することができる等の効果を奏する。
【００１５】
請求項２によると、スリーブに切り込みを形成することで、揉み玉のガタツキを抑制することができるので、スリーブを一部品で形成することができる等の効果を奏する。
【００１６】
請求項３によると、スリーブの一部を略螺旋状の部材にて形成することで、揉み玉のガタツキを抑制することができるので、弾性部に別の素材を使用することができる等の効果を奏する。
【００１７】
請求項４によると、弾性部をスリーブの端部に形成することで、スリーブに対して軸方向から外力がかかった際のスリーブのゆがみ小さくすることができる等の効果を奏する。
【図面の簡単な説明】
【００１８】
【図１】本発明の椅子型マッサージ機の斜視図である。
【図２】同マッサージユニットの斜視図である。
【図３】同軸の遊端部をカシメる前の状態における揺動アームの断面図である。
【図４】同スリーブの斜視図である。
【図５】同軸の遊端部をカシメた後の状態における揺動アームの断面図である。
【発明を実施するための形態】
【００１９】
本発明の実施形態を、図１乃至図５に基づいて以下に詳述する。
【００２０】
図１は、本発明の椅子型マッサージ機の斜視図である。尚、本体１は、座部シャーシ２と、背もたれ部シャーシ３と、座部シャーシ２及び背もたれ部シャーシ３が取り付けられるベースフレーム４とで構成され、説明をわかりやすくするために、図１では、椅子型マッサージ機のベースフレーム４、座部シャーシ２、背もたれ部シャーシ３及びマッサージユニット７のみを示している。
【００２１】
３は背もたれ部シャーシで、略中央に縦長の開口５が形成され、該開口５から後述するマッサージユニット７が臨出している。
【００２２】
前記背もたれ部シャーシ３の裏側には、左右一対のレール部材６が上下方向に配備されている。前記レール部材６には、対向する向きに断面略コ字状の溝（図示せず）が形成され、該溝に後述するマッサージユニット７のローラー８が転動可能に嵌入する。また、前記溝の淵には溝に沿って図示しないラックが形成されており、後述するマッサージユニット７のピニオン１０が歯合するようになっている。
【００２３】
６はマッサージユニットで、後述する揉み玉１９を有する揺動アーム１１を備え、揉み玉１９によって被施療者の肩、背中及び腰等をマッサージするユニットである。
【００２４】
前記マッサージユニット７は、前記レール部材６の溝に転動可能に嵌入するローラー８が上下に配設されたシャーシ９を基体として構成される。前記ローラー８は、それぞれ支持軸１４を介して前記シャーシ９に取り付けられており、上側の前記ローラー８の内側には、前記レール部材６のラックに歯合するピニオン１０が形成されている。上側の前記ローラー８及びピニオン１０を支持する支持軸１４は、前記シャーシ９を左右に貫通しており、図示しない昇降用モーターに接続され、該昇降用モーターの駆動により回転し、マッサージユニット７を背もたれ部シャーシ３に対して昇降させる。
【００２５】
１０は後述する揉み玉１９を有する一対の揺動アームで、一端側を揉み軸１２と、図示しないロッドを介して叩き軸１４とに接続されている。揉み軸１２及び叩き軸１４はそれぞれ図示しない揉み用モーター及び叩き用モーターによって回転し、揉み軸１２の回転によって、揉み玉１９が揉み動作し、叩き軸１４の回転によって、揉み玉１９が叩き動作するようになっている。
【００２６】
前記揺動アーム１１の遊端部には、一端がカシメ固定され、他端が揺動アーム１１間に突出する軸１４を有している。図３に示すように、前記軸１４は、該軸１４の揺動アーム１１に対する位置決めを行うための段部１５と、前記揺動アーム１１遊端部にカシメ固定される固定部１６と、後述する揉み玉１９が嵌着する取付部１７（軸長をＡとする）と、該取付部１７先端に形成され、カシメ代となるカシメ代部１８とで構成され、カシメ代部１８断面略円の径は、取付部１７断面略円の径よりも小さくなっている。
【００２７】
１８は後述するスリーブ２１の外周をゴムやシリコン等の弾性素材２０で覆った車輪状の揉み玉で、スリーブ２１を介して前記揺動アーム１１に配設される。
【００２８】
２０はフランジ２２を有する樹脂製の筒状のスリーブ（筒長をＢとする）で、端部に略螺旋状の切り込みを形成することで、スリーブの端部に弾性部２３を形成している。前記フランジ２２は、前記揉み玉１９に外力が加わった際に、前記スリーブ２１に対する弾性素材２０のずれを防止するためのものである。
【００２９】
尚、揉み玉１９は、スリーブ２１の外周をゴムで覆うためにインサート成型するので、スリーブ２１の切り込みにもゴムが入り込むが、ゴムは弾性を有しているため、揉み玉１９を形成した状態であっても、このような切り込みを形成したスリーブ２１は軸方向に弾性を有する。
【００３０】
前記スリーブ２１は、前記揺動アーム１１の軸１４に嵌入され、前記カシメ代部１８にワッシャー２４を挿入し、前記カシメ代部１８をカシメることで、前記取付部１７に抜け止め固定される。
【００３１】
前記スリーブ２１の筒長Ｂを、取付部１７の軸長Ａより長く形成しており、取付部１７の軸長Ａ及びスリーブ２１の筒長Ｂの寸法誤差、或いは、カシメ量の誤差等が生じた際にも、弾性部２３の変形により誤差を吸収して、揉み玉１９の軸１４に対する軸方向の移動を阻止している。
【００３２】
スリーブ２１を上述のような構成にすると、簡単な構成で、確実に揉み玉１９のガタツキを抑制し、特に無負荷、低負荷運転時に生じるガタツキ音の発生を防止することができる。また、スリーブに切り込みを形成することで弾性部２３を形成するため、一部品で軸方向に弾性を有するスリーブ２１を形成することができる。
【００３３】
尚、上記実施形態では、一端に切り込みを形成することで、スリーブ２１の弾性部２３を形成しているが、両端に切り込みを形成することで、スリーブの両端に弾性部２３を形成しても良い。この構成では、より多くの寸法誤差を吸収することができる。
【００３４】
また、弾性部２３はスリーブ２１に切り込みを形成することで形成しているが、弾性部をスリーブの断面略円に対して略同心同径の略螺旋状の別部材とし、スリーブを、フランジを有する筒と、筒の先に接着される略螺旋状部材との２部品で構成してもよい。
【００３５】
このような構成とすると、筒と弾性部をそれぞれ異なる部材で形成することができ、例えば、フランジを有する筒は衝撃に強く、弾性部は弾性に優れるように、それぞれに適した別の部材でスリーブを形成することができる。
【００３６】
尚、弾性部を略螺旋状部材で形成する場合においても、弾性部をスリーブの両端に形成してもよい。
【００３７】
上記実施形態では、脱落防止等の理由から、軸を固定するためあるいはスリーブを向かい止めするための軸の固定方法として、カシメ固定を例示しているが、固定方法はカシメ固定に限る必要はなく、例えば、ネジ止め固定やＣリング、割ピン等を使用して固定してもよい。
【産業上の利用可能性】
【００３８】
本発明は、揉み玉を有する椅子型マッサージ機に広く利用可能である。
【符号の説明】
【００３９】
１    本体
２    座部シャーシ
３    背もたれ部シャーシ
４    ベースフレーム
５    開口
６    レール部材
７    マッサージユニット
８    ローラー
９    シャーシ
１０  ピニオン
１１  揺動アーム
１２  揉み軸
１３  叩き軸
１４  軸
１５  段部
１６  固定部
１７  取付部
１８  カシメ代部
１９  揉み玉
２０  弾性素材
２１  スリーブ
２２  フランジ
２３  弾性部
２４  ワッシャー
Ａ    軸長
Ｂ    筒長
【図１】
2011136098.tif 000003
【図２】
2011136098.tif 000004
【図３】
2011136098.tif 000005
【図４】
2011136098.tif 000006
【図５】
2011136098.tif 000007